(57)【要約】      （修正有）【課題】クロスワードパズルを備え、はがきの単なる受信を超えて転用を得ることが可能な、はがきを提供する。【解決手段】キーワード（同義語）、語句または画像に基づいて、一般的な字句が横方向と垂直方向に配置された単語を見つけることに関連する通常のクロスワードパズル（登録商標）や、数独（登録商標）パズル、コードパズル（単語の数に関連する）と、二次元ボード上で解読されるのに適した、その他のいかなる単語または数の関連のパズルの組合せを含んだはがきである。【選択図】図１
0003143745.tif 000002
【実用新案登録請求の範囲】
【請求項１】
はがきとクロスワードパズルの組合せであって、前記はがきは、送料と受取人のアドレスを配置するためのスペースを備えるとともに、はがきの受取人に対するメッセージを記載するための、シンボル表現、および／または、スペースを有するようにデザインされ、前記はがきは、二次元ボード上で解読されるのに適した、少なくとも１つの、単語または数に関連するパズルを備えていることを特徴とするはがきとクロスワードパズルの組合せ。
【請求項２】
前記単語または数に関連するパズルが、キーワード（同義語）、語句または画像に基づいて、一般的な字句が横方向と垂直方向に配置された単語を見つけることに関連するクロスワードパズルを備えていることを特徴とする請求項１に記載のはがきとクロスワードパズルの組合せ。
【請求項３】
前記単語または数に関連するパズルが、数独パズル、および／または、（単語の数に関連する）コードパズルを備えていることを特徴とする請求項１に記載のはがきとクロスワードパズルの組合せ。
【請求項４】
前記はがきが、ハート形状、花形状、頭蓋骨形状、雪片形状、または、四角形状であることを特徴とする請求項１から３のいずれかに記載のはがきとクロスワードパズルの組合せ。
【請求項５】
前記はがきが、単一シートタイプ、ダブルシートタイプ、または、１つ以上に折り畳まれた複数のシートタイプのはがきであることを特徴とする請求項１から４のいずれかに記載のはがきとクロスワードパズルの組合せ。
【請求項６】
前記はがきが、ポップアップ構造、および／または、歌を演奏する、光装飾を付与するなどの、音、および／または、光デバイスを備えることを特徴とする請求項１から５のいずれかに記載のはがきとクロスワードパズルの組合せ。
【考案の詳細な説明】
【技術分野】
【０００１】
本願考案は、はがきとクロスワードパズルの組合せに関するものであって、そのはがきは、送料と受取人のアドレスを配置するためのスペースを備えるとともに、はがきの受取人に対するメッセージを記載するための、シンボル表現、および／または、スペースを有するようにデザインされている。
【０００２】
さらに、そのはがきは、キーワード（同義語）、語句または画像に基づいて、一般的な字句が横方向と垂直方向に配置された単語を見つけることに関連する少なくとも１つの通常のクロスワードパズルを備えており、また、数独パズルと、（単語の数に関連する）コードパズルと、二次元ボード上で解読されるのに適した、その他のいかなる単語または数の関連のパズルも備えている。
【背景技術】
【０００３】
通常のはがきは、メッセージまたは感情を受取人に伝えるとともに、多くの形とデザインを受取人に伝えることを意図するものである。
はがきは、（バレンタインデーのための）ハート形状、花形状、（ハロウィーンのための）頭蓋骨形状、（クリスマスのための）雪片形状、または、通常の四角形状とすることができる。
【０００４】
はがきは、単一シートタイプ、ダブルシートタイプ、または、１つ以上に折り畳まれた複数のシートタイプのはがきがとすることができる。
また、はがきは、ポップアップ構造、および／または、音、および／または、光デバイス（例えば、歌を演奏する、光装飾を付与するなど）を備えることができる。
【０００５】
しかしながら、受取人がそのような標準の先行技術はがきを受け取る際には、送り主からメッセージを読む以外に、何にもそのようなはがきを使用するのは、可能でない（ことによるとデコレーション／画像を見ることはできるが）。
【０００６】
しかしながら、多くの場合、受取人は、はがきに関するメッセージの単なる読み取りを超えた転用、例えば、受取人が、病院、刑務所、または退屈であるとして認識されるいかなる他の場所（例えば、寄宿学校、軍など）にもいる際に、そのような転用を必要としている。
従って、はがきの単なる受信を超えた転用を備えているはがきの必要性がある。
【考案の開示】
【０００７】
従って、本願考案は、クロスワードパズルを備え、前記のはがきの単なる受信を超えて転用を得ることが可能な、（前述したタイプの）はがきの組合せに関する。
【０００８】
本考案では、クロスワードパズルは、キーワード（同義語）、語句または画像に基づいて、一般的な字句が横方向と垂直方向に配置された単語を見つけることに関連する通常のクロスワードパズルは別として、数独パズルと、コードパズル（単語の数に関連する）と、二次元ボード上で解読されるのに適した、その他のいかなる単語または数の関連のパズルも含んでいる。
【０００９】
その代わりに、裏面上、または、はぎとり式のカバーの下に、クロスワードパズル（個人が夢中になる場合に、パズルを解読するための援助としての）への解法を備えた、クロスワードパズルを有するはがきとすることができる。
【００１０】
そのようなはがきとクロスワードパズルの組合せは、新規であって、単なるはがきの受信を超えた退屈を取り除くために適している。
また、パズルを解き明かすことによって、受取人がパズルを解き明かす動機をうながして、その結果、退屈から救うことの可能で、メッセージを伝えるために、そのようなパズルを配置できる。
【考案を実施するための最良の形態】
【００１１】
以下に、添付の図面に基づいて、はがきとクロスワードパズルの組合せのいくつかの実施例について説明する。
【００１２】
図１は、本考案による暗号クロスワードパズルを備えたはがきの実施例を示している。
図２は、本考案によるアメリカンクロスワードパズルを備えたはがきの実施例を示している。
図３は、本考案による十字型クロスワードパズルを備えたはがきの実施例を示している。
【００１３】
図４ａは、裏面と表面を備えたダブルシートタイプのはがきであって、春のモチーフについて表現しているはがきの実施例を示している。
図４ｂは、本考案による図４ａの実施例のダブルシートタイプのはがきの内部／中央を示しており、暗号クロスワードパズルを備えたはがきの実施例を示している。
【００１４】
図５ａは、裏面と表面を備えたダブルシートタイプのはがきであって、冬のモチーフについて表現しているはがきの実施例を示している。
図５ｂは、本考案による図５ａの実施例のダブルシートタイプのはがきの内部／中央を示しており、アメリカンクロスワードパズルを備えたはがきの実施例を示している。
【００１５】
図６ａは、裏面と表面を備えたダブルシートタイプのはがきであって、秋のモチーフについて表現しているはがきの実施例を示している。
図６ｂは、本考案による図６ａの実施例のダブルシートタイプのはがきの内部／中央を示しており、十字型クロスワードパズルを備えたはがきの実施例を示している。
【００１６】
図７ａは、裏面と表面を備えたダブルシートタイプのはがきであって、春のモチーフについて表現しているはがきの実施例を示している。
図７ｂは、本考案による図７ａの実施例のダブルシートタイプのはがきの内部／中央を示しており、クロスワードパズルを備えたはがきの実施例を示している。
【００１７】
図８ａは、裏面と表面を備えたダブルシートタイプのはがきであって、冬のモチーフについて表現しているはがきの実施例を示している。
図８ｂは、本考案による図８ａの実施例のダブルシートタイプのはがきの内部／中央を示しており、解法の語句がクロスワードパズルにおけるコーナ画像に関連する状態で有する、クロスワードパズルを備えたはがきの実施例を示している。
【００１８】
図９ａは、コードクロスワードパズルを備えた単一シートタイプのはがきの表面を示している。
図９ｂは、また、小型化されたバージョンの表面側のパズルに解法を備えた図９ａによるはがきの裏面を示している。
【００１９】
図１０ａは、画像に関連するクロスワードパズルを備えた単一シートタイプのはがきの表面を示している。
図１０ｂは、小型化されたバージョンのクロスワードパズルの解法を備えた図１０ａによるはがきの裏面を示している。
【００２０】
図１１ａは、数独パズルを備えた単一シートタイプのはがきの表面を示している。
図１１ｂは、小型化されたバージョンの数独パズルの解法を備えた図１１ａによるはがきの裏面を示している。
【００２１】
図１２ａは、代替実施例の数独パズルを備えた単一シートタイプのはがきの表面を示している。
図１２ｂは、小型化されたバージョンの数独パズルの解法を備えた図１２ａによるはがきの裏面を示している。
【図面の簡単な説明】
【００２２】
【図１】図１は、本考案による暗号クロスワードパズルを備えたはがきの実施例を示している。
【図２】図２は、本考案によるアメリカンクロスワードパズルを備えたはがきの実施例を示している。
【図３】図３は、本考案による十字型クロスワードパズルを備えたはがきの実施例を示している。
【図４．ａ】図４ａは、裏面と表面を備えたダブルシートタイプのはがきであって、春のモチーフについて表現しているはがきの実施例を示している。
【図４．ｂ】図４ｂは、本考案による図４ａの実施例のダブルシートタイプのはがきの内部／中央を示しており、暗号クロスワードパズルを備えたはがきの実施例を示している。
【図５．ａ】図５ａは、裏面と表面を備えたダブルシートタイプのはがきであって、冬のモチーフについて表現しているはがきの実施例を示している。
【図５．ｂ】図５ｂは、本考案による図５ａの実施例のダブルシートタイプのはがきの内部／中央を示しており、アメリカンクロスワードパズルを備えたはがきの実施例を示している。
【図６．ａ】図６ａは、裏面と表面を備えたダブルシートタイプのはがきであって、秋のモチーフについて表現しているはがきの実施例を示している。
【図６．ｂ】図６ｂは、本考案による図６ａの実施例のダブルシートタイプのはがきの内部／中央を示しており、十字型クロスワードパズルを備えたはがきの実施例を示している。
【図７．ａ】図７ａは、裏面と表面を備えたダブルシートタイプのはがきであって、春のモチーフについて表現しているはがきの実施例を示している。
【図７．ｂ】図７ｂは、本考案による図７ａの実施例のダブルシートタイプのはがきの内部／中央を示しており、クロスワードパズルを備えたはがきの実施例を示している。
【図８．ａ】図８ａは、裏面と表面を備えたダブルシートタイプのはがきであって、冬のモチーフについて表現しているはがきの実施例を示している。
【図８．ｂ】図８ｂは、本考案による図８ａの実施例のダブルシートタイプのはがきの内部／中央を示しており、解法の語句がクロスワードパズルにおけるコーナ画像に関連する状態で有する、クロスワードパズルを備えたはがきの実施例を示している。
【図９．ａ】図９ａは、コードクロスワードパズルを備えた単一シートタイプのはがきの表面を示している。
【図９．ｂ】図９ｂは、また、小型化されたバージョンの表面側のパズルに解法を備えた図９ａによるはがきの裏面を示している。
【図１０．ａ】図１０ａは、画像に関連するクロスワードパズルを備えた単一シートタイプのはがきの表面を示している。
【図１０．ｂ】図１０ｂは、小型化されたバージョンのクロスワードパズルの解法を備えた図１０ａによるはがきの裏面を示している。
【図１１．ａ】図１１ａは、数独パズルを備えた単一シートタイプのはがきの表面を示している。
【図１１．ｂ】図１１ｂは、小型化されたバージョンの数独パズルの解法を備えた図１１ａによるはがきの裏面を示している。
【図１２．ａ】図１２ａは、代替実施例の数独パズルを備えた単一シートタイプのはがきの表面を示している。
【図１２．ｂ】図１２ｂは、小型化されたバージョンの数独パズルの解法を備えた図１２ａによるはがきの裏面を示している。
【図１】
0003143745.tif 000003
【図２】
0003143745.tif 000004
【図３】
0003143745.tif 000005
【図４．ａ】
0003143745.tif 000006
【図４．ｂ】
0003143745.tif 000007
【図５．ａ】
0003143745.tif 000008
【図５．ｂ】
0003143745.tif 000009
【図６．ａ】
0003143745.tif 000010
【図６．ｂ】
0003143745.tif 000011
【図７．ａ】
0003143745.tif 000012
【図７．ｂ】
0003143745.tif 000013
【図８．ａ】
0003143745.tif 000014
【図８．ｂ】
0003143745.tif 000015
【図９．ａ】
0003143745.tif 000016
【図９．ｂ】
0003143745.tif 000017
【図１０．ａ】
0003143745.tif 000018
【図１０．ｂ】
0003143745.tif 000019
【図１１．ａ】
0003143745.tif 000020
【図１１．ｂ】
0003143745.tif 000021
【図１２．ａ】
0003143745.tif 000022
【図１２．ｂ】
0003143745.tif 000023
【手続補正書】
【提出日】平成20年5月19日(2008.5.19)
【手続補正１】
【補正対象書類名】実用新案登録請求の範囲
【補正対象項目名】全文
【補正方法】変更
【補正の内容】
【実用新案登録請求の範囲】
【請求項１】
はがきであって、
前記はがきは、送料と受取人のアドレスを配置するためのスペースを備えるとともに、
はがきの受取人に対するメッセージを記載するための、シンボル表現、および／または、スペースを有するようにデザインされ、
前記はがきは、二次元ボード上で解読されるのに適した、少なくとも１つの、単語または数に関連するパズルからなるクロスワードパズル部を備えていることを特徴とするはがき。
【請求項２】
前記単語または数に関連するパズルが、キーワード、語句または画像に基づいて、一般的な字句が横方向と垂直方向に配置された単語を見つけることに関連するクロスワードパズルを備えていることを特徴とする請求項１に記載のはがき。
【請求項３】
前記単語または数に関連するパズルが、数独パズル、および／または、単語の数に関連するコードパズルを備えていることを特徴とする請求項１に記載のはがき。
【請求項４】
前記はがきが、ハート形状、花形状、頭蓋骨形状、雪片形状、または、四角形状であることを特徴とする請求項１から３のいずれかに記載のはがき。
【請求項５】
前記はがきが、単一シートタイプ、ダブルシートタイプ、または、１つ以上に折り畳まれた複数のシートタイプのはがきであることを特徴とする請求項１から４のいずれかに記載のはがき。
【請求項６】
前記はがきが、ポップアップ構造、および／または、歌を演奏する、光装飾を付与するなどの、音、および／または、光デバイスを備えることを特徴とする請求項１から５のいずれかに記載のはがき。
【手続補正３】
【補正対象書類名】明細書
【補正対象項目名】０００１
【補正方法】変更
【補正の内容】
【０００１】
本願考案は、はがき、例えば、はがきとクロスワードパズルの組合せに関するものであって、そのはがきは、送料と受取人のアドレスを配置するためのスペースを備えるとともに、はがきの受取人に対するメッセージを記載するための、シンボル表現、および／または、スペースを有するようにデザインされている。